(57)【要約】【目的】ガラス枠に嵌め付けられ、接着剤によって固着された内外のガラスを溶剤によって外す際に２枚のガラスを同時にガラス枠から取り外せるようにする。【構成】ガラス枠本体（１１）の内周面に沿って形成するガラス受け（１５）に内外方向から嵌め付け接着剤（１７）を介して固着することによりガラス枠本体（１１）に内外２枚のガラス（１２ａ，１２ｂ）を組付けるようにしたパチンコ機のガラス枠において、前記ガラス枠本体（１１）の内周面に前記ガラス受け（１５）の内外に通る誘導路（２０）を形成して内外いずれか一方のガラスの周縁部と前記内周面との間隙を通して浸透させる接着剤の溶剤（２１）をこの一方のガラスを接着する接着剤（１７）に浸透させると共に、前記誘導路（２０）を通して他方のガラスを接着する接着剤（１７）に浸透させ、同時に２枚のガラスを外すようにする。【選択図】図５
2009125186.tif 000002
【特許請求の範囲】
【請求項１】
環状に形成されるガラス枠本体の内周面中央部に全周に亘りガラス受けを突設し、該ガラス受けの前後の面に前後方向から嵌め込む内外のガラスの周縁部を各当接すると共に、該各当接部分の間に充填する接着剤によって一体に固着し、内外のガラスの間に空隙を設けて装着するようにしたパチンコ遊技機のガラス枠において、前記ガラス枠本体には前記ガラス受けにより隔てられる前記内周面の前面側と後面側とを連絡する溶剤の誘導路を開設し、前記当接部分の一方の接着剤に供給する溶剤を前記誘導路を通して他方の接着剤にも併せて供給できるようにしたことを特徴とするパチンコ遊技機のガラス枠。
【請求項２】
請求項１に記載のパチンコ遊技機のガラス枠において、溶剤の誘導路はガラス受けの基端部の下を潜って両端の開口部をガラス枠本体の内周面の前面側と後面側に開口させることを特徴としたパチンコ遊技機のガラス枠。  
【請求項３】
請求項１又は２に記載のパチンコ遊技機のガラス枠において、溶剤の誘導路はガラス受けの長さ方向に沿って所要の間隔をおいて複数個形成することを特徴としたパチンコ遊技機のガラス枠。  
【請求項４】
請求項１又は２に記載のパチンコ遊技機のガラス枠において、ガラス受けには前後の面に全長に亘ってガラスを受ける突条を突設し、該突条とガラス枠本体内周面との間に接着剤の溜り凹部を形成することを特徴としたパチンコ遊技機のガラス枠。
【請求項５】
請求項４に記載のパチンコ遊技機のガラス枠において、溶剤の誘導路は両端の開口部を接着剤の溜り凹部に臨んで開口させることを特徴としたパチンコ遊技機のガラス枠。
【請求項６】
請求項２乃至５のいずれかに記載のパチンコ遊技機のガラス枠において、溶剤の誘導路の開口部にはガラス受け側の縁部から誘導路内部に向って迫り出す隆起部を設けて開口部に臨んでの溶剤溜りを形成することを特徴としたパチンコ遊技機のガラス枠。
【請求項７】
請求項６に記載のパチンコ遊技機のガラス枠において、溶剤溜りはガラス受けの前後の面に形成する接着剤の溜り凹部に連通することを特徴としたパチンコ遊技機のガラス枠。
【請求項８】
請求項１乃至７のいずれかに記載のパチンコ遊技機のガラス枠において、ガラス枠本体の内周面と装着されるガラスの周縁部の端面との間に溶剤を浸透させる空隙を形成し、該空隙と溶剤の誘導路とを連通することを特徴としたパチンコ遊技機のガラス枠。
【発明の詳細な説明】
【技術分野】
【０００１】
本発明は、パチンコ遊技機のガラス枠に関する。
【背景技術】
【０００２】
パチンコ遊技機のガラス枠は遊技盤の前面を被うものであるが、通常は遊技盤を落下するパチンコ球に対する不正誘導がされたり、入賞装置等に対する不正操作が行われるのを防止するためガラスを二重に装着して不正行為に使用される線材の侵入を防ぎ、或は磁石による磁力を落して不正行為を未然に防止するようにしている。
【０００３】
ガラス枠におけるガラスの二重構造は古くから広く実施されており、その最も一般的なものは金属材で形成した枠本体の内周に装着溝を形成してこれにガラスを抜差し自由に装着するようにした金属枠タイプのガラス枠であり、これが主流をなしていたが、近時ガラス枠に対する装飾効果を高めることや、一層の防犯効果を挙げる上からガラス枠本体を樹脂で形成する樹脂枠が広く利用されるようになった。
【０００４】
樹脂枠は、枠本体を合成樹脂を材料に環状の枠に形成し、この枠の内周面の中央部に全周に亘ってガラスを受ける突条を設けて枠本体の内外両側から嵌め入れる内外の２枚のガラスの各周縁部をこの突条に前後から添わせ、同時に上記週縁部と突条との間に充填する接着剤によって一体に止着してガラスの間に空隙を保持するようにして一体的に形成する構造になっている。
【０００５】
上記樹脂枠の一例として例えば特許文献１を挙げることができる。
【特許文献１】特開２００３−９０７号公報。
【０００６】
上記特許文献１に記載の発明は、直接的に枠本体（ガラスフレーム１２）にガラス（ガラス板１４）を装着することについての提案ではないが、このガラスフレーム１２に対するガラス板１４の装着は図４に開示されるように、ガラスフレーム１２の内周面の中央部に沿って周方向に突設される突条（通気口２０が開設される部分）に装着するガラス板１４，１４の周縁部を当接し、この２枚のガラス板の間に空間１６を設けるものとなっている。
【０００７】
ここには接着剤についての説明はないが、当業界においてはこのガラス板１４，１４の脱落を防止するため前記突条との間に接着剤を充填し、これを固着することによってガラスフレーム１２、つまり枠本体とガラス板１４，１４との一体化を図ってガラス枠とすることになる。
【０００８】
この樹脂枠の特徴は、枠本体とガラスとが一体化することで線材による不正行為を確実に防止できること、材料を合成樹脂にすることで自由な形状の成形が可能となり、装飾物を直接施すことができること等、金属製のガラス枠にはない利点がある。
しかし、その反面ガラスを枠本体に接着剤によって接着し、一体化するため金属枠のようにガラスを引き抜いて外すことができず、そのためガラスを取り除く場合は、ガラスを破壊するか、接着剤を剥離させる必要がある。
【０００９】
この様に枠本体に対してガラスを接着剤によって一体化したガラス枠は、防犯上或は成形上有利な反面、枠本体からガラスを簡単に外せないと言う不利な面を持っている。
このガラスを簡単に外せない点は、ガラスを簡単に交換できないことに止らず、パチンコ遊技機が使用済となったとき素材を異にする枠本体とガラスを簡単に分離することができないと言うことでもあり、この結果廃棄処理に当っての資源回収の妨げになっていたのである。
【００１０】
従来、接着剤を使って枠本体にガラスを固定する樹脂枠タイプのガラス枠の解体は、実際の作業として枠本体をパチンコ遊技機から外した後、前面又は後面を上にして水平に支持し、この状態で枠本体の内周面と、この内周面に臨むガラスの周縁部との間に沿って、アセトン等の有機溶剤を注入し、枠本体の内周面に設けた突条とガラスの周縁部の間において接着する接着剤に浸透させ、これを溶融してガラスの固定を解き、枠本体から外す方法が採られている。
【００１１】
このとき、上記一面側から注入した有機溶剤は、枠本体とガラスの周縁部との隙間を通して突条の一面側に達し、この面において固化する接着剤に浸透することになるが、上記突条によって反対側の面、つまり別のガラスを接着する接着剤側には浸透が阻まれるため、一面側（内又は外側）のガラスの隙間に溶剤を浸透させて接着剤を溶解し外した後、枠本体を反転させて下になったガラスを上向きにして再び同様にしてこのガラスの周縁部に沿って溶剤を注入し、ガラスの取り外しを行うこととしている。
【００１２】
つまり、内外二重のガラスを外す場合、内外一枚づつのガラスを個別に外すことになり、その度毎に溶剤の注入を行い、またこの間に枠本体を反転させる必要があり、内外のガラスを一度に外すことができないものとなっていたのである。
このためパチンコ遊技機の廃棄処理に当って多量のガラス枠の解体が発生した場合、これに対応することが作業上極めて困難となり、また作業効率の悪さからコスト高となり、資源回収のネックとなっていたのである。
【発明の開示】
【発明が解決しようとする課題】
【００１３】
従って、本発明は樹脂枠、つまり環状に形成されるガラス枠本体に対して内外のガラスを接着剤を使って一体に接合してなるパチンコ遊技機のガラス枠において、上記内外（若しくは前後）のガラスを接着し固定する接着剤を効率的に溶解し、ガラス枠本体から簡単に、しかも迅速に取り外せるようにしたパチンコ遊技機のガラス枠を提供しようとするものである。
【課題を解決するための手段】
【００１４】
本発明は、上記目的を達成するため、合成樹脂を素材にして環状に形成されるガラス枠本体の内周面にガラス受けを突設し、前後からガラス枠本体に嵌め入れる内外のガラスをこのガラス受けの前後の面に受け、２枚のガラスの間に上記ガラス受けの肉厚の間隔をおいて装着すると共に、この内外のガラスと上記ガラス受けとの間に介挿する接着剤によって一体に接合し、組立てなるパチンコ遊技機のガラス枠において、ガラス枠本体には前記ガラス受けによって隔てられる内周面の前面側と後面側とを連絡する溶剤の誘導路を開設して内外ガラスのいずれか一方を接合する接着剤を溶融するため注入する溶剤を該誘導路を通して他方のガラスを接合する接着剤にも併せて浸透させ、これによって内外のガラスを同時に離脱させ、解体できるようにしたことにある。
【００１５】
更に詳述すれば、本発明は、環状に形成されるガラス枠本体の内周面中央部に全周に亘りガラス受けを突設し、該ガラス受けの前後の面に前後方向から嵌め込む内外のガラスの周縁部を各当接すると共に、該各当接部分の間に充填する接着剤によって一体に固着し、内外のガラスの間に空隙を設けて装着するようにしたパチンコ遊技機のガラス枠において、前記ガラス枠本体には前記ガラス受けにより隔てられる前記内周面の前面側と後面側とを連絡する溶剤の誘導路を開設し、前記当接部分の一方の接着剤に供給する溶剤を前記誘導路を通して他方の接着剤にも併せて供給できるようにしたことを特徴とするパチンコ遊技機のガラス枠を提供することにある。
【００１６】
この発明によれば、パチンコ遊技機から外したガラス枠を寝かせてガラスを水平に支持した状態にして、上になったガラスの周縁部に沿ってガラス枠本体の内周面との間にアセトン等の接着剤を溶融する有機溶剤を注ぎ、この上になったガラスを固着する接着剤に浸透させると、溶剤は注ぎ込んだところからガラスの周縁部とガラス枠本体の衝き合せに沿って全周に亘り、この上のガラスを接着する接着剤を溶解し、ガラスの固着を解くことになる。そしてこの時、同時に上のガラスを接着する接着剤を溶解する溶剤は、引き続き注ぎ込まれることによって前記誘導路を通してガラス受けによって隔てられた下方の内周面側、つまり下になっているガラスを接合する接着剤に回り込み、これに浸透することになり、この接着剤を溶解して下のガラスの接合を解くことになる。
【００１７】
従って、水平に寝かせたガラス枠の上になったガラスの縁に沿って溶剤を注ぐと、その周縁の全周に亘って透導されながらこのガラスの縁部とガラス枠本体の内周面との隙間を伝わってガラスを接合する接着剤に浸透し、これを溶解し、更にこの溶剤は誘導路を通してガラス受けを越え、下になったガラスを接合する接着剤に浸透することになって上下のガラス、つまりガラス受によって隔てられ、それぞれ別々に接着される内外２枚のガラスを一緒に外すことができることになるのである。  
【００１８】
また、本発明は、前記溶剤の誘導路はガラス受けの基端部の下を潜って両端の開口部をガラス枠本体の内周面の前面側と後面側に開口させることを特徴としたパチンコ遊技機のガラス枠を提供することにある。
【００１９】
この発明は、前記溶剤の誘導路をガラス受けの基端部を潜らせ、その両端の開口部をガラス受によって隔てられるガラス枠本体の内周面の前後の面にそれぞれ開口させることから、一方のガラスの周縁部に沿って注ぎ込んだ溶剤をこのガラスを接合する接着剤に直接的に浸透させられると同時に、その一部の溶剤を他方のガラスを接合する接着剤に送り、浸透させることができるため、内外２枚のガラスの接合を同時進行的に解除することができる。    
【００２０】
また、本発明は、前記溶剤の誘導路はガラス受けに沿って所要の間隔をおいて複数形成することを特徴としたパチンコ遊技機のガラス枠を提供することにある。  
【００２１】
この発明によれば、上になるガラスを接合する接着剤に対して注ぎ込む溶剤を複数の誘導路を通して下になるガラスを接合する接着剤に送り込めることから溶剤の供給が円滑に、且つ万遍無く行えるため迅速な取り外しを実現することになる。
【００２２】
また、本発明は、前記ガラス受けには前後の面に全長に亘ってガラスを受ける突条を突設し、該突条とガラス枠本体内周面との間に接着剤の溜り凹部を形成することを特徴としたパチンコ遊技機のガラス枠を提供することにある。
【００２３】
この発明によれば、ガラス受けに対するガラスの収まりが一定し、安定化すると共に、接着剤の充填部所が一定になることから、接合を解除する溶剤の注ぎ込みが確実になり、効果的に溶解できることになる。
【００２４】
また、本発明は、前記溶剤の誘導路は両端の開口部を接着剤の溜り凹部に開口させることを特徴としたパチンコ遊技機のガラス枠を提供することにある。
【００２５】
この発明によれば、誘導路と接着剤の溜り凹部とが直結することから下になるガラスの接着剤に対する溶剤の浸透が更に迅速に進行し、上下のガラスを接合する各接着剤を同時に溶解するのに有効となる。
【００２６】
また、本発明は、前記溶剤の誘導路の開口部にはガラス受け側の縁部から誘導路内部に向って迫り出す隆起部を設けて開口部内側に溶剤溜りを形成することを特徴としたパチンコ遊技機のガラス枠を提供することにある。
【００２７】
この発明によれば、上になるガラスを固定する接着剤に注がれた溶剤が、この接着剤に充分供給されない内に、下のガラスを接合する接着剤に流れてしまうのを防止することができ、常に上のガラスを接合する接着剤に対して充分な溶剤の供給が果されることになり、溶剤の浸透不足を有効に回避することができる。
【００２８】
また、本発明は、前記溶剤溜りはガラス受けの前後の面に形成される接着剤の溜り凹部に連通することを特徴としたパチンコ遊技機のガラス枠を提供することにある。
【００２９】
この発明は、前記溶剤溜りと接着剤の溜り凹部とを直結することによって溶剤溜りに溜められた溶剤が効率的に接着剤に浸透するようにしたもので、迅速な接着剤の溶解を促すことができる。
【００３０】
また本発明は、前記ガラス枠本体の内周面と装着されるガラスの周縁部の端面との間に溶剤を浸透させる空隙を形成し、該空隙と溶剤の誘導路とを連通することを特徴としたパチンコ遊技機のガラス枠を提供することにある。
【００３１】
この発明は、ガラス枠本体内に嵌め込まれるガラスはガラス枠本体の内周面と周縁部との間に自然に空隙ができることから、この空隙を通して溶剤を接着剤に、更には誘導路を通して下に位置するガラスを固定する接着剤に供給することができるものとなるが、この溶剤の注ぎ込みを更に確実なものとするため、溶剤を浸透させるための空隙を形成するものとしたもので、作業性を高めることができる。
【発明の効果】
【００３２】
上記の如く構成から、本発明によれば、パチンコ遊技機本体から外したガラス枠を内外いずれかの面を上にして水平に寝かせ、上になった面のガラスの周縁部に沿ってガラス枠本体の内周面との間隙に有機溶剤を注ぎ、この内周面とガラスの周縁部との空隙を通してこのガラスを接着する接着剤に溶剤を供給すると、この上側のガラスを接着する接着剤に浸透し、これを溶解するのと併せて、注ぎ込まれる溶剤の一部は誘導路を通してガラス受けによって隔てられる下側のガラスを接着する接着剤に達することになる結果、この接着剤を溶解することになる。
【００３３】
従って、ガラス枠を水平に倒し、支持した状態で上側のガラスの周縁部に沿って溶剤を注ぐと、この上側のガラスを接合する接着剤の溶解に併せて誘導路を通して下のガラスの周縁部に流れ込む溶剤によってこの下のガラスを接合する接着剤をも溶解することになるため一度の溶剤の注ぎ込みによって内外２枚のガラスを外すことができることになるのである。
【００３４】
そして、この内外２枚のガラスを外すに当っては従来の様にガラス枠を作業の途中で反転させる必要がないため、解体の作業を迅速に行うことができ、またその手間も省けることから省力化に優れる利点がある。
従って、多量のガラス枠の解体作業に当って、例えば使用後のパチンコ遊技機を解体し、分別によつて資源の回収作業を行うような場合有利に実施することができることになる。
【００３５】
尚、ガラスを接合する接着剤に対する溶剤の注ぎ込みは、内外いずれのガラス側から行ってもよく、上側になったガラスの周縁部に沿って溶剤を注ぎ込めば、誘導路を通して自動的に下側のガラスを接合する接着剤にも達することになり、内外２枚のガラスを同時に外すことができることになる。勿論、この場合多くの誘導路を設ければ、下になるガラスにも周縁部の全周に亘って速やかに溶剤が浸透することになるため作業が進むことは言うまでもない。
【発明を実施するための最良の形態】
【００３６】
次に、本発明を図面に示す実施の形態に基づき説明することにする。
図１は本発明に係るパチンコ遊技機のガラス枠の使用状態を説明する正面図で、図２はパチンコ遊技機の本体から取り外したガラス枠の拡大背面図、図３は図２のＡ−Ａ線拡大断面図で、図４は要部の拡大斜視図である。
図面において、１はパチンコ遊技機であり、２はパチンコ遊技機１の外枠３にヒンジ具４，４を介して開放自由に蝶着した前枠であり、５はこの前枠２に後向きに開放自由に蝶着する本発明に係るガラス枠、６は前枠２の下半部に球受皿７、打球発射用の操作ハンドル８、灰皿９等を装備する前面板、１０は前記外枠３の下部を被う飾り板で、背後に効果音を出すスピーカが隠される。
【００３７】
ガラス枠５は、前枠２の上部中央部に大きく開設する窓（図示せず）を背面側から塞ぐ構造にしてあり、窓の開口周縁に合せてやゝ縦長の楕円形状に形成されるガラス枠本体１１と、このガラス枠本体１１の内周に嵌め殺し状態に収められる内外のガラス１２ａ，１２ｂから構成されている。
【００３８】
ここに示すガラス枠１１は、合成樹脂を素材に形成されるもので、図２に示すように背面側から見た右辺の上下には前枠２の背面部に設ける筒形の軸受部（図示せず）に着脱自由に軸承する枢着軸１３，１３が、そして左辺の上下には前枠２の背面に植設する係止軸
（図示せず）を受け入れ掛け止める穴１４，１４を穿っており、上記枢着軸１３，１３を支点に開閉ができるようにすると共に、穴１４，１４を掛け止めることで窓の背面側から密着してこれを塞ぐことができるようにしてある。
【００３９】
このガラス枠１１は、前後に前記２枚のガラス１２ａ，１２ｂを受け入れるに必要な幅をもたせ、且つ強度を出すための肉厚をもって環状に形成してあり、内周面の中央部には全周に亘ってガラス受け１５を突設している。
【００４０】
上記ガラス受け１５は、ガラス枠の前後から嵌め込まれる内外のガラス１２ａ，１２ｂの周縁部を受け止め、安定化すると共に、ガラス相互の間に所要の空隙１６を確保するもので、ここではガラス受け１５の先端部の両面に直接ガラスの面を受け止めると共に、ガラス受けの内外両面部に接着剤１７の溜り凹部１８，１８を形成する突条１９，１９を設けている。
【００４１】
図中、２０は上記ガラス受け１５によって隔てられるガラス枠１１の内周面の前面側の面１１ａと後面側の面１１ｂとを連通する溶剤２１の誘導路である。
上記誘導路２０は、内周面の前後の面１１ａ，１１ｂを繋ぐため、ここではガラス受け１５の基端部の下を潜り抜けるようにガラス枠本体１１の内部を通して両端の開口部２０ａ，２０ｂを上記基端部に近付けて設け、実質的に前記接着剤の溜り凹部１８，１８に臨むようにしてある。
【００４２】
この誘導路２０は、後述するように一方のガラス１２ａ（又は１２ｂ）を接着する接着剤１７を溶解するため注ぎ込む溶剤２１を他方のガラスを接着する接着剤１７に向けて誘導するためのもので、ここでは図２に示したように上下、左右の辺部に各１個づつ計４個略等間隔に設けてある。そして、各誘導路２０は両端の開口部２０ａ，２０ｂの縁に前記凹部１８，１８に臨む一辺に隆起部２２を設けて溶剤溜り２３を設けている。
【００４３】
溶剤溜り２３は、一方のガラス１２ａを接着する接着剤１７を溶解するため注ぎ込んだ溶剤２１がこの接着剤１７を完全に溶解する前に誘導路２０に流れ込んでしまうのを防止するもので、接着剤の溶解もれを防止する。
【００４４】
ところで、本発明に係るガラス枠５は、ガラスを接着剤によって固定する従来の一体型のガラス枠と同様に、前後方向からガラス枠本体１１に嵌め込む内外のガラス１２ａ，１２ｂを接着剤１７によって接合する構造に係っている。従って、実際のガラス１２ａ，１２ｂの嵌め付けは、ガラス受け１５の両面に設ける溜り凹部１８に接着剤１７を充填し、ガラス枠本体の前後から嵌め込むガラス１２ａ，１２ｂの各週縁部をこの接着剤１７に押付けることによって接合し、一体的に組付けることになる。
【００４５】
尚、ガラスの押付けによって接着剤１７はガラスの一面に接着すると共に、ガラスが突条１９，１９に当接することによってガラスの面に沿って内側に溢れ出すのが防止される。そして、押付けられたガラスはこの突条１９，１９によって一定の位置に安定し、且つ全周に亘って均一に固定されることになる。
【００４６】
さて、この様にしてガラス枠本体１１に内外のガラス１２ａ，１２ｂを固着し、一体化したガラス枠５は、使用済みとなった後、資源回収のためガラス枠本体１１からガラス１２ａ，１２ｂを外す場合、接着剤１７の接合を外す必要があるが、この場合従来行われている方法と同様に、先ずパチンコ遊技機から外したガラス枠５、更に言えば前枠２の背面に支軸１３，１３を介して軸承されるガラス枠５を外したのち、このガラス枠５をいずれかの面を上にして水平に寝かせ、次に上になったガラス１２ｂ（又は１２ａ）の周縁部に沿って溶剤２１を注ぎ込み、ガラスの周縁部とガラス枠本体１１の内周面との間にできる間隙を通してこの溶剤２１をガラス１２ｂを接合する接着剤１７に浸透させることになる。
【００４７】
溶剤２１には接着剤１７に適した溶剤が選択されるが、一般的に使用されているアセトン等の有機溶剤が使用される。
溶剤２１の注ぎ込みは、図５に示すように、ガラス１２ｂの周縁部とガラス枠本体１１の内周面との間にできる間隙２４を通して行われるが、この注ぎ込みを円滑に行うため、ここでは、予め内周面を傾斜面に形成して上記間隙２４を広げてある。
尚、この溶剤２１の注ぎ込みは１２ｂの周縁部に沿って全周に亘り注ぎ、間隙２４を通して先ず上になるガラス１２ｂの接着剤１７に送り込まれる。
【００４８】
上記間隙２４を通して注がれた溶剤２１は、ガラス受け１５の片面側に沿って前周に亘り浸透し、接着剤１７を溶解すると同時に、更に注がれた溶剤２１は誘導路２０を通して
ガラス受け１５によって隔てられた反対側（図３〜図５において下側）に開口部２０ａを通して流れ込み、下になっているガラス１２ａを接合する接着剤１７に浸透してこれを溶解することになる。
【００４９】
この実施形態では、ガラス枠本体１１に４ヶ所設けられている誘導路２０からそれぞれ溶剤２１が下方の接着剤１７に向けて流れ込むことになるが、注ぎ込まれた溶剤２１は開口部２０ｂ（２０ａ）に設けられた溶剤溜り２３に受けられて、一旦誘導路２０への流れ込みを阻止される。このため、上側の接着剤１７に優先的に浸透することになり、上の接着剤の溜り凹部１８に満たされた後、オーバーフローする状態で誘導路２０に流れ込み下の接着剤１７に浸透し、これを溶解することになる。
【００５０】
接着剤の溜り凹部１８は、接着剤１７の充填場所を正確にし、またガラスの押し付けの際のはみ出しを有効に防止して適正な接着を実現するが、上記溶剤２１の注入に当っては漏れ出るのを防止して接着剤全体に亘っての浸透を助けることになる。
【００５１】
本発明におけるガラスの取り出し作業は上述した如く行われることになるが、水平に寝かせたガラス枠５の上側になるガラス１２ｂに対する溶剤２１の注ぎ込みによって、このガラスと下になるガラス１２ａのそれぞれを接合する接着剤１７に同時に浸透させることができ、これらを溶解してガラス枠本体１１からの離脱を可能にすることになり、作業を極めて迅速化することができることになる。
【００５２】
ことに、従来は内外のガラスを個別に、しかもガラス枠を反転させる作業を間に入れて作業する必要があったことから上のガラスを接着する接着剤の溶解を確認し、更にこのガラスを取り除いた後でなければ下のガラスの溶解作業に入れず、極めて手間の掛る作業となっていたが、本発明は上記反転作業や、２度の溶剤注入作業を省略できるため作業効率を上げることができ、多量の解体作業にも対応することができることになる。
【００５３】
ところで、前記実施の形態では、溶剤を誘導する誘導路２０をガラス枠本体１１の中を通して形成したが、この形成は誘導路２０を屈折させて不正行為に使用されるピアノ線等の侵入を防止するためであり、この侵入には溶剤溜り２３を形成する隆起部２２も有効に作用することになる。
【００５４】
しかし、誘導路２０の形成は、この様にガラス枠本体１１の中を通して形成する場合の外、ガラス受け１５を越えて溶剤２１を反対側に誘導することができ、しかもガラス受けの両面の接着剤に対し同時並行的に注ぎ込むことができるものであれば、ガラス受け１５を直接貫通するように形成するものであってもよい。
勿論、前記実施形態では誘導路２０を略等間隔にガラス枠本体１１の内周に沿って４ヶ所に設けたが、均一且つ迅速な浸透を図るため、その設置個数，間隔，孔径等を適宜選択することは設計者に委ねられ自由である。  
【図面の簡単な説明】
【００５５】
【図１】使用状態を説明するパチンコ遊技機の正面図。
【図２】ガラス枠の拡大背面図。
【図３】図２のＡ−Ａ線拡大断面図。
【図４】要部の拡大斜視図。
【図５】溶剤を注入しガラスを接合する接着剤を溶解する状態を説明する要部の拡大断面図。
【図６】ガラス枠本体の部分拡大断面図。
【図７】図６のＢ−Ｂ線断面図。
【図８】誘導路の開口部を説明する一部欠截する側面図である。
【符号の説明】
【００５６】
１                パチンコ遊技機
２                ガラス枠
１１              ガラス枠本体
１２ａ，１２ｂ    ガラス
１５              ガラス受け
１６              内、外ガラスによって形成される空隙
１７              接着剤
１８              接着剤の溜り凹部
１９              突条
２０              誘導路
２０ａ，２０ｂ    誘導路の開口部
２１              溶剤
２２              隆起部
２３              溶剤溜り
２４              ガラス周縁部とガラス枠本体との間隙
【図１】
2009125186.tif 000003
【図２】
2009125186.tif 000004
【図３】
2009125186.tif 000005
【図４】
2009125186.tif 000006
【図５】
2009125186.tif 000007
【図６】
2009125186.tif 000008
【図７】
2009125186.tif 000009
【図８】
2009125186.tif 000010